(57)【要約】【課題】着脱自在なバーが設けられたカウンター、及び、それを備えた浴室構造を提供することを課題とする。【解決手段】本発明に係るカウンターは、物品を載置する天板と、天板の左右両側にそれぞれ設けられた側板２４と、天板の下方に配置されたバー２６と、側板２４に設けられ、バー２６を着脱自在に保持するフック２８と、を備えている。これにより、バー２６が着脱自在なのでカウンターの清掃時にバー２６を取り外して清掃することができ、清掃性が大幅に向上する。【選択図】図６
2010187913.tif 000002
【特許請求の範囲】
【請求項１】
物品を載置する天板と、
前記天板の左右両側にそれぞれ設けられた側板と、
前記天板の下方に配置されたバーと、
前記天板又は前記側板に設けられ、前記バーを着脱自在に保持する保持部と、
を備えた、カウンター。
【請求項２】
前記保持部は、前記側板の内側に形成され上方が開口したフックである、請求項１に記載のカウンター。
【請求項３】
前記側板から延び出し、前記フックの開口へ前記バーの端部を案内する案内板部が設けられている、請求項２に記載のカウンター。
【請求項４】
前記フックの下部には、水抜き用の孔部が形成されている、請求項２又は３に記載されたカウンター。
【請求項５】
前記フックの開口の縁部には、前記バーの端部が前記フックから抜けることを規制する突部が形成されている、請求項２〜４のうち何れか１項に記載のカウンター。
【請求項６】
前記フックの開口のカウンター奥側の縁部には、前記案内板部とは反対側へ延び出す鍔部が設けられている、請求項５に記載のカウンター。
【請求項７】
請求項１〜６のうち何れか１項に記載のカウンターが設けられた、浴室構造。
【発明の詳細な説明】
【技術分野】
【０００１】
本発明は、バーが設けられたカウンター、及び、それを備えた浴室構造に関する。
【背景技術】
【０００２】
浴室のカウンターには、通常、タオルを掛けるバーが設けられている（例えば特許文献１参照）。このバーは、通常、バー端部がカウンターに取付けられることにより固定されている。
【先行技術文献】
【特許文献】
【０００３】
【特許文献１】実開平７−３４７８号公報
【発明の概要】
【発明が解決しようとする課題】
【０００４】
ところで、カウンターの清掃等を考慮すると、バーが着脱自在であることが好ましい。
しかし、特許文献１では、カウンターの折りたたみは可能であるが、バーの取外しを容易に行うことはできない。
【０００５】
本発明は、上記事実を考慮して、着脱自在なバーが設けられたカウンター、及び、それを備えた浴室構造を提供することを課題とする。
【課題を解決するための手段】
【０００６】
請求項１に記載の発明は、物品を載置する天板と、前記天板の左右両側にそれぞれ設けられた側板と、前記天板の下方に配置されたバーと、前記天板又は前記側板に設けられ、前記バーを着脱自在に保持する保持部と、を備えている。
請求項１に記載の発明では、バーが着脱自在なのでカウンターの清掃時にバーを取り外して清掃することができ、清掃性が大幅に向上する。また、シャンプー等の物品を天板上に載置する構成にすることができる。
【０００７】
請求項２に記載の発明は、前記保持部は、前記側板の内側に形成され上方が開口したフックである。
これにより、簡易な構成でバーを着脱自在とすることができる。
【０００８】
請求項３に記載の発明は、前記側板から延び出し、前記フックの開口へ前記バーの端部を案内する案内板部が設けられている。
これにより、取外したバーを取付ける際、バーをカウンターの下方から上方に移動させてバーの端部を案内板部に当接させ、そのままバーを下方にずらすことでバーをフックに保持させることができる。従って、バーの取付けが著しく容易である。
【０００９】
請求項４に記載の発明は、前記フックの下部には、水抜き用の孔部が形成されている。
これにより、フックに水が溜まることを回避でき、衛生的である。
【００１０】
請求項５に記載の発明は、前記フックの開口の縁部には、前記バーの端部が前記フックから抜けることを規制する突部が形成されている。
これにより、フックに保持されたバーに誤って上方に移動させる力が作用しても、フックからバーが抜けることが突部によって規制される。従って、フックからバーが不用意に外れにくい。
【００１１】
請求項６に記載の発明は、前記フックの開口のカウンター奥側の縁部には、前記案内板部とは反対側へ延び出す鍔部が設けられている。
これにより、バーを取付ける際、バーの端部が案内板部からカウンター奥側へやや離れていても、バーを下方にずらすとバーの端部が鍔部に当接してフックの開口に案内される。従って、バーの取付けが更に容易になる。
【００１２】
また、フックに保持されたバーに誤って上方に移動させる力が作用してフックからバーが上方に外れてしまっても、鍔部上にバー端部が落下し、突部と案内板部とでバーの端部が下方から支えられるか、あるいは、突部と案内板部との間をバーが通過してフックに再び入って保持される。従って、バーに不用意な力が作用してもカウンターからバーが落下し難い。
【００１３】
請求項７に記載の発明は、請求項１〜６のうち何れか１項に記載のカウンターが設けられた浴室構造である。
これにより、カウンターの清掃時にバーを取り外して清掃することができ、清掃性が大幅に向上した浴室構造とすることができする。また、シャンプー等の物を天板上に載置できる浴室構造にすることができる。
【発明の効果】
【００１４】
本発明によれば、着脱自在なバーが設けられたカウンター、及び、それを備えた浴室構造とすることができる。
【図面の簡単な説明】
【００１５】
【図１】第１実施形態に係る浴室構造を示す浴室の部分斜視図である。
【図２】第１実施形態に係るカウンターを斜め下方から見た斜視図である。
【図３】第１実施形態に係るカウンターの天板の正面図である。
【図４】第１実施形態に係るカウンターの天板の側面断面図である。
【図５】第１実施形態に係るカウンターの側板の斜視図である。
【図６】第１実施形態に係るカウンターの側板でバーを保持させることを説明する説明図である。
【図７】第２実施形態に係るカウンターを斜め下方から見た斜視図である。
【図８】第３実施形態に係るカウンターを斜め下方から見た斜視図である。
【発明を実施するための形態】
【００１６】
以下、実施形態を挙げ、本発明の実施の形態について説明する。なお、第２実施形態以下では、既に説明した構成要素と同様のものには同じ符号を付して、その説明を省略する。
【００１７】
［第１実施形態］
まず、第１実施形態について説明する。図１に示すように、本実施形態に係るカウンター１０は、浴室１２の洗い場１４の壁面１６に固定されたものである。なお、浴室１２は、例えばユニットバスで形成されている。洗い場１４の壁面１６には壁付水洗１８が設けられており、カウンター１０は壁付水洗１８のやや上方に配置されている。
【００１８】
図２〜図６に示すように、カウンター１０は、物品を載置する載置面２２Ｓを上面側に有する天板２２と、天板２２の左右両側にそれぞれ設けられた側板２４と、天板２２の下方に天板２２と平行に配置されたバー２６と、を備えている。側板２４には、バー２６の端部を着脱自在に保持する保持部として、側板２４の内側（バー側）にフック２８が設けられている。
【００１９】
天板２２は、上記の載置面２２Ｓを上側に有する上板部３０と、上板部３０のカウンターフロント側（正面側）の縁部に連続する正面板部３２と、を有する。正面板部３２は、上板部３０の正面側の縁部からやや下方に向けて延び出し、更に下方かつカウンター奥側に向けてやや丸みを帯びて延び出す形状とされている。
【００２０】
更に、天板２２は、正面板部３２に連続する下板部３４と、下板部３４に連続する鉛直板部３６と、鉛直板部３６に連続する下端板部３８と、を有する。下板部３４は、正面板部３２の下側縁部から上方かつカウンター奥側に向けて湾曲しつつ延び出し、更に上板部３０と平行に延びる。鉛直板部３６は、下板部３４のカウンター奥側から下方かつカウンター奥側に向けて湾曲しつつ延び出し、更に鉛直下方向に延びる。下端板部３８は、鉛直板部３６の下側縁部からカウンター奥方向に向けて延びる。鉛直板部３６には、浴室壁面にビス止めするための貫通孔３７（図２〜図４参照）が複数箇所に形成されている。
【００２１】
側板２４は左右対照形状とされている。図５、図６に示すように、この側板２４の内側（バー側）には、天板２２を下方から支える第１支持板部２５Ｓ１と、第１支持板部２５Ｓ１に連続して湾曲し更に下方に延びる第２支持板部２５Ｓ２と、が設けられている。そして、側板２４の内側には、第１支持板部２５Ｓ１のカウンターフロント側の端部、及び、フック２８の開口２８Ｍのカウンターフロント側の端部に連続して延び出すとともに側板２４のカウンターフロント側から側板内側に向けて（すなわちバーの長手方向内側に向けて）延び出す平板状の案内板部４０が設けられている。この構成により、案内板部４０は、バー２６を取付ける際にバー端部２６Ｅをフック２８の開口２８Ｍに案内する形状にされている。
【００２２】
そして、フック２８の下部には、バー長手方向外側位置とバー長手方向内側位置とに、それぞれ、水抜き用の孔部２８Ｈ１、２８Ｈ２が形成されている。
また、フック２８の開口２８Ｍのカウンター奥側の縁部２８Ｅには、フック２８に入れられたバー端部２６Ｅがフック２８から抜けることを規制する突部２８Ｔが形成されている。
【００２３】
更に、本実施形態では、フック２８の開口２８Ｍのカウンター奥側の縁部２８Ｅからカウンター奥側かつ上側に延び出す鍔部２８Ｂが設けられている。すなわち、鍔部２８Ｂは、案内板部４０とは反対側へこの縁部２８Ｅから延び出している。
【００２４】
以下、本実施形態の作用、効果を説明する。本実施形態では、清掃時にはバー２６を取り外す。この取り外しでは、バー２６を両手あるいは片手で、上方あるいは上方かつカウンターフロント側に持ち上げる。この結果、両端側のバー端部２６Ｅがそれぞれ突部２８Ｔに当接して、突部２８Ｔが案内板部４０からやや離れるようにフック２８が撓み、バー端部２６Ｅがフック２８から上方に外れる。そして、フック２８のカウンター奥側にバー端部２６Ｅを移動させ、更にバー２６を下方に移動させてカウンター１０から取り外す。
【００２５】
清掃終了後、図６に示すように、バー２６を両手あるいは片手で持ってカウンター１０の下方から移動軌跡Ｕに沿うように移動させ、バー両端側のバー端部２６Ｅをそれぞれ案内板部４０の内壁面４０Ｗに当接させる。そして、案内板部４０に沿ってバー２６を下方へ移動させる。この結果、バー端部２６Ｅがそれぞれ突部２８Ｔに当接し、バー端部２６Ｅからの押圧力により突部２８Ｔが案内板部４０からやや離れるようにフック２８が撓み、バー端部２６Ｅがフック２８へ入る。この後、手をバー２６から離してもバー２６がフック２８で保持されている。
【００２６】
このように、本実施形態では、簡易な構成で、バー２６をカウンター１０から簡単に着脱させることができる。従って、カウンター１０の清掃時にバー２６を簡単に取り外して清掃することができ、カウンター１０、更には浴室１２の清掃性が大幅に向上する。
また、天板２２の載置面２２Ｓにシャンプー等の物品Ｐ（図１参照）を載置することができ、カウンター１０の使用者にとって便利である。
【００２７】
また、上記の案内板部４０が左右両側の側板２４にそれぞれ設けられているので、取外したバー２６を取付ける際、バー２６をカウンター１０の下方から上方に移動させてバー端部２６Ｅを案内板部４０の内壁面４０Ｗにそれぞれ当接させ、そのままバー２６を下方にずらすことでバー２６をフック２８に保持させることができる。従って、バーの取付けが著しく容易である。
【００２８】
また、フック２８の下部には、水抜き用の孔部２８Ｈ１、２８Ｈ２が形成されている。これにより、フック２８に水が溜まることを回避でき、衛生的である。なお、本実施形態では、孔部が２箇所にわたって形成されているので、この効果が顕著である。
【００２９】
また、フック２８の開口２８Ｍのカウンター奥側の縁部２８Ｅには、フック２８に入れられたバー端部２６Ｅがフック２８から抜けることを規制する突部２８Ｔが形成されている。これにより、フック２８に保持されたバー２６に誤って上方に移動させる力が作用しても、フック２８からバー２６が抜けることが突部２８Ｔによって規制される。従って、フック２８からバーが不用意に外れにくい。
【００３０】
また、フック２８の開口２８Ｍのカウンター奥側の縁部２８Ｅからカウンター奥側かつ上側に延び出す鍔部２８Ｂが設けられている、これにより、バー２６を取付ける際、バー２６を鍔部２８Ｂに当接させてそのまま下方に移動させてフック２８に保持させることができる。従って、バー２６の取付けが更に容易である。そして、フック２８に保持されたバー２６に誤って上方に移動させる力が作用してフック２８からバーが上方に外れてしまっても、鍔部２８Ｂ上にバー端部２６Ｅが落下し、突部２８Ｔと案内板部４０とでバー端部２６Ｅが下方から支えられるか、あるいは、突部２８Ｔと案内板部４０との間をバーが通過してフック２８に再び入って保持される。従って、バー２６に不用意な力が作用してもカウンター１０からバー２６が落下し難い。
【００３１】
［第２実施形態］
次に、第２実施形態について説明する。図７に示すように、本実施形態に係るカウンター５０は、第１実施形態に比べ、案内板部４０が設けられておらず、フック２８に代えて簡素なフック５８が側板５４の内側に形成されている。
本実施形態により、第１実施形態よりも簡素な構成で、バー２６を着脱自在としたカウンター５０にすることができる。
【００３２】
［第３実施形態］
次に、第３実施形態について説明する。図８に示すように、本実施形態に係るカウンター６０は、第１実施形態に比べ、フック２８及び案内板部４０に代えて、天板６２（天板２２とほぼ同様の構成）から下方に延び出すフック６８が設けられている。このフック６８は、フック２８及び案内板部４０とほぼ同形状のフック本体７０と、フック本体７０の側板側に形成されている側板部７２と、側板部７２のカウンター奥側の縁部から側板８４（側板５４とほぼ同様の構成）の側に延び出す補強板部７４と、で構成される。
【００３３】
本実施形態では、フック６８に保持されたバー２６は、フック本体７０で下方から支えられるとともに、バー２６が長手方向に移動することが側板部７２で規制される。このように、側板８４ではなく天板６２にフック６８を設けてバー２６を保持させることも可能である。
【００３４】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【符号の説明】
【００３５】
１０  カウンター
１２  浴室
２２  天板
２４  側板
２６  バー
２６Ｅ  バー端部（端部）
２８  フック（保持部、フック）
２８Ｍ  開口
２８Ｅ  縁部
２８Ｈ１、Ｈ２  孔部
２８Ｔ  突部
２８Ｂ  鍔部
４０  案内板部
５０  カウンター
５４  側板
５８  フック
６０  カウンター
６２  天板
６８  フック
８４  側板
Ｐ  物品
【図１】
2010187913.tif 000003
【図２】
2010187913.tif 000004
【図３】
2010187913.tif 000005
【図４】
2010187913.tif 000006
【図５】
2010187913.tif 000007
【図６】
2010187913.tif 000008
【図７】
2010187913.tif 000009
【図８】
2010187913.tif 000010